(57)【要約】      （修正有）【課題】  個々の単独型の電子ショッピングサイトを利用して、少ない構築負荷で電子ショッピングモールを構築することが可能なシステムを提供する。【解決手段】  消費者端末３０がＲＳＳリーダーを利用して、電子ショッピングサイト２０からＲＳＳファイルを取得し、ＲＳＳファイル内にＰＩＮＧサーバ送信用モジュールが存在する場合には、消費者端末３０は、ＰＩＮＧサーバ送信用モジュール内に記録されたＲＳＳファイルのＵＲＩおよび商品情報を、ＰＩＮＧサーバ送信用モジュール内で指定されているＰＩＮＧサーバ１０に送信する。これにより、ＰＩＮＧサーバ１０は、単独型の電子ショッピングサイト２０のＲＳＳファイルＵＲＩおよび商品情報を取得することが可能となる。これにより、消費者は、ＰＩＮＧサーバ１０を電子ショッピングモールのトップページとして利用し、実際には個々の電子ショッピングサイト２０にアクセスして購入手続を行うことができる。【選択図】  図１
2007072717.tif 000002
【特許請求の範囲】
【請求項１】
サーバコンピュータ上に開設され、販売している商品の情報を保有し、消費者に商品購入手続機能を提供するサイトである電子ショッピングサイトと、前記電子ショッピングサイトにアクセスして商品の購入手続が可能な端末装置である消費者端末と、前記電子ショッピングサイトで販売される商品の情報を登録するサーバコンピュータであるＰＩＮＧサーバにより構成されるシステムであって、
前記電子ショッピングサイトは、自身に関する情報を記録したサイト情報データを有すると共に、当該サイト情報データは、前記ＰＩＮＧサーバに当該サイト情報データのＵＲＩおよび前記商品の情報を送信するためのＰＩＮＧサーバ送信用モジュールを有しており、
前記消費者端末は、前記電子ショッピングサイトから前記サイト情報データを取得して解析し、解析した内容に従って、前記ＰＩＮＧサーバ送信用モジュールに記録された情報を前記ＰＩＮＧサーバに送信する機能を有しており、
前記ＰＩＮＧサーバは、前記消費者端末から受信した情報を登録する機能を有することを特徴とする電子ショッピングモール構築システム。
【請求項２】
ネットワーク上に公開する電子ショッピングサイトについての情報を記録すると共に、当該電子ショッピングサイトのＵＲＩ、当該電子ショッピングサイトで販売している商品の情報、および送信先のサーバコンピュータであるＰＩＮＧサーバのＵＲＬを記録したＰＩＮＧサーバ送信用モジュールを有することを特徴とするサイト情報データ。
【請求項３】
電子ショッピングサイトにアクセスして、消費者が商品の購入手続を行う端末装置であって、
前記電子ショッピングサイトのサイト情報を記録したサイト情報データを、ネットワークを介して前記電子ショッピングサイトから取得する機能と、
前記取得したサイト情報データの内容を解析し、解析の結果、当該サイト情報データのＵＲＩ、前記電子ショッピングサイトで販売している商品の情報、および送信先のサーバコンピュータであるＰＩＮＧサーバのＵＲＬが記録されている場合に、前記サイト情報データのＵＲＩ、前記電子ショッピングサイトで販売している商品の情報を前記ＵＲＬで特定されるＰＩＮＧサーバに送信する機能と、
を有することを特徴とする消費者端末。
【請求項４】
ネットワーク上で、利用者に商品購入機能を提供すると共に、販売している商品データを保有するサイトである電子ショッピングサイトに関する情報を登録するサーバコンピュータであって、
前記電子ショッピングサイトが保有するサイト情報データのＵＲＩおよび前記電子ショッピングサイトで販売している商品の情報を、前記電子ショッピングサイトにアクセスした端末装置から受信する機能と、
前記受信したＵＲＩおよび前記電子ショッピングサイトで販売している商品の情報を登録する機能と、
前記ＵＲＩへのリンク情報を記録したＷＥＢページを電子ショッピングモールのトップページとして作成する機能と、
を有することを特徴とするＰＩＮＧサーバ。
【発明の詳細な説明】
【技術分野】
【０００１】
本発明は、コンピュータネットワーク上で電子ショッピングモールを自動構築するための技術に関する。
【背景技術】
【０００２】
近年、ＩＴ技術の飛躍的な進歩により、モバイル端末の高機能化や通信速度の高速化、通信費やコンピュータの低価格化が急速に進んだ。これにより大勢の人々がインターネットを利用するようになり、最近では、ＰＣや携帯電話機を用いてインターネットでショッピングをすることは当たり前のこととなった。
【０００３】
インターネット上の電子ショッピングサイトは基本的に２４時間年中無休で営業しており、いつでも好きな時に商品を購入することが可能で、決済にはクレジットカードを利用することもでき、また商品は希望する場所へ配送することも可能である。
【０００４】
電子ショッピングを実施するサイトの形態には大きく分けて二種類がある。一つは、小売店舗を集合させた電子ショッピングモール型のサイトで、もう一つは、電子ショッピングシステムを自社で開発し、サイトの運営も自社でやっている単独型のサイトである。
【発明の開示】
【発明が解決しようとする課題】
【０００５】
上記二種類のタイプの電子ショッピングサイトのうち、電子ショッピングモール型のサイトは、システムが複雑になるため、構築負荷が高いという問題がある。一方、単独型の電子ショッピングサイトは、インターネット上に単独で存在するため、その存在を消費者に広く知ってもらうには、多額の広告費をかける必要があるという問題がある。
【０００６】
上記のような点に鑑み、本発明は、個々の単独型の電子ショッピングサイトを利用して、少ない構築負荷で電子ショッピングモールを構築することが可能な電子ショッピングモール構築システムを提供することを課題とする。
【課題を解決するための手段】
【０００７】
上記課題を解決するため、本発明第１の態様では、サーバコンピュータ上に開設され、販売している商品の情報を保有し、消費者に商品購入手続機能を提供するサイトである電子ショッピングサイトと、前記電子ショッピングサイトにアクセスして商品の購入手続が可能な端末装置である消費者端末と、前記電子ショッピングサイトで販売される商品の情報を登録するサーバコンピュータであるＰＩＮＧサーバにより構成されるシステムであって、前記電子ショッピングサイトは、自身に関する情報を記録したサイト情報データを有すると共に、当該サイト情報データは、前記ＰＩＮＧサーバに当該サイト情報データのＵＲＩおよび前記商品の情報を送信するためのＰＩＮＧサーバ送信用モジュールを有しており、前記消費者端末は、前記電子ショッピングサイトから前記サイト情報データを取得して解析し、解析した内容に従って、前記ＰＩＮＧサーバ送信用モジュールに記録された情報を前記ＰＩＮＧサーバに送信する機能を有しており、前記ＰＩＮＧサーバは、前記消費者端末から受信した情報を登録する機能を有する電子ショッピングモール構築システムを提供する。
【０００８】
また、本発明第２の態様では、ネットワーク上に公開する電子ショッピングサイトについての情報を記録すると共に、当該電子ショッピングサイトのＵＲＩ、当該電子ショッピングサイトで販売している商品の情報、および送信先のサーバコンピュータであるＰＩＮＧサーバのＵＲＬを記録したＰＩＮＧサーバ送信用モジュールを有するサイト情報データを提供する。
【０００９】
また、本発明第３の態様では、電子ショッピングサイトにアクセスして、消費者が商品の購入手続を行う端末装置であって、前記電子ショッピングサイトのサイト情報を記録したサイト情報データを、ネットワークを介して前記電子ショッピングサイトから取得する機能と、前記取得したサイト情報データの内容を解析し、解析の結果、当該サイト情報データのＵＲＩ、前記電子ショッピングサイトで販売している商品の情報、および送信先のサーバコンピュータであるＰＩＮＧサーバのＵＲＬが記録されている場合に、前記サイト情報データのＵＲＩ、前記電子ショッピングサイトで販売している商品の情報を前記ＵＲＬで特定されるＰＩＮＧサーバに送信する機能を有する消費者端末を提供する。
【００１０】
また、本発明第４の態様では、ネットワーク上で、利用者に商品購入機能を提供すると共に、販売している商品データを保有するサイトである電子ショッピングサイトに関する情報を登録するサーバコンピュータであって、前記電子ショッピングサイトが保有するサイト情報データのＵＲＩおよび前記電子ショッピングサイトで販売している商品の情報を、前記電子ショッピングサイトにアクセスした端末装置から受信する機能と、前記受信したＵＲＩおよび前記電子ショッピングサイトで販売している商品の情報を登録する機能と、前記ＵＲＩへのリンク情報を記録したＷＥＢページを電子ショッピングモールのトップページとして作成する機能を有するＰＩＮＧサーバを提供する。
【発明の効果】
【００１１】
本発明によれば、電子ショッピングサイトの情報を効率的に集めることができ、電子ショッピングモールを簡易に構築することが可能となる。
【発明を実施するための最良の形態】
【００１２】
（１．システム構成）
以下、本発明の実施形態について図面を参照して詳細に説明する。図１は、本発明に係る電子ショッピングモール構築のシステム環境を示す図である。図１において、１０はＰＩＮＧサーバ、１１はサイト情報ＤＢ、２０は電子ショッピングサイト、３０は消費者端末である。ＰＩＮＧサーバ１０は、電子ショッピングサイト２０に関する情報を受け付けるためのサーバコンピュータであり、受け付けた各電子ショッピングサイトに関する情報をサイト情報ＤＢ１１に登録する機能を有している。
【００１３】
ここで、一般的なＰＩＮＧサーバについて説明しておく。ＰＩＮＧサーバとは、情報の発信者からの情報更新通知を受付け、公開するサーバコンピュータであり、自分の欲しい情報を入手したいユーザは、ＰＩＮＧサーバにアクセスすることで、欲しい情報を提供しているサイトにアクセスすることが可能となり、また、情報の発信者は自分の情報をより多くの人に見てもらうことが可能となるものである。また、情報の発信者が、ＰＩＮＧサーバに情報を提供する際の情報の形式としては、自身のサイトの要約を記録したＲＳＳ（RDF Site Summary、Rich Site Summary、Really Simple Syndication等の略）ファイルが用いられている。ＲＳＳファイルは、ＸＭＬベースの形式であり、見出しや要約などのメタデータを構造化して記述したファイルである。閲覧者側では、このＲＳＳファイルを読み込むためのＲＳＳリーダーと呼ばれるソフトウェアを利用して、コンピュータ端末上で、配信されている情報を閲覧することが可能になっている。
【００１４】
また、ＰＩＮＧサーバ１０は、サイト情報ＤＢ１１に登録された情報に基づいてＷＥＢページを作成し、ネットワークを介して消費者端末３０に提供する電子ショッピングモールサイトとしての機能も有している。サイト情報ＤＢ１１は、電子ショッピングサイト２０に関する情報を蓄積する機能を有している。ここで、サイト情報ＤＢ１１に記録された情報の構成を図２に示す。図２（ａ）に示すように、サイト情報ＤＢ１１には、各電子ショッピングサイトに対応して、その電子ショッピングサイトのサイト情報データ（ＲＳＳファイル）の所在を特定するＵＲＩ（Uniform Resource Identifier）、その電子ショッピングサイトのタイトル（サイト名）、その電子ショッピングサイトのＵＲＬ、その電子ショッピングサイトの説明、その電子ショッピングサイトのカテゴリー、その電子ショッピングサイトのサブカテゴリー、その電子ショッピングサイトのキーワード、その電子ショッピングサイトの更新時刻、受信時刻、その電子ショッピングサイトで販売されている商品の商品情報が記録されている。商品情報の項目については、販売されている商品数に応じて多数記録される。また、商品情報の項目は、図２（ｂ）に示すように、さらに詳細な項目により構成されている。具体的には、その商品の商品名、その商品の商品情報の所在を特定するＵＲＩ、その商品の価格、その商品の数量、その商品のカテゴリー、その商品の商品画像のＵＲＬ、その商品の商品説明、その商品情報の更新時刻が記録されている。
【００１５】
電子ショッピングサイト２０は、消費者が商品購入の手続を行うことが可能な電子ショッピングサイトであり、ＷＥＢサーバ機能を有するサーバコンピュータ上で開設されている。電子ショッピングサイト２０は、サーバコンピュータ上に記録されたストアシステム（ショッピングカート、在庫管理システム）および商品データの集合体として定義される。物理的には、１つのサーバコンピュータに複数サイト開設されることもあるし、複数のサーバコンピュータにより１つのサイトが形成されることもある。なお、ストアシステムにより構築されたショッピングサイトは、従来の単独型の電子ショッピングサイトそのものであり、特に新しいものではない。ただし、サイトのＴＯＰページを通常用いられるＨＴＭＬファイルに加え、ＲＳＳファイルの形式で用意しており、消費者は、汎用のＷｅｂブラウザを用いた場合は、ＨＴＭＬファイルを利用し、ＲＳＳリーダーを用いた場合は、ＲＳＳファイルを利用してサイトのトップ画面を表示させることになる。 “ＲＳＳ”とは、ＸＭＬベースの形式であり、見出しや要約などのメタデータを構造化して記述したものである。
【００１６】
ここで、本発明で用いるサイト情報データの一例を図３に示す。図３は、サイト情報データをＲＳＳ形式で表現したものである。図３において、上から１行目の＜ｒｄｆ：…＞タグ内における下線で示した部分、および、上から２行目からの“＜ｐｉｎｇｓｈｏｐ：”で始まる全てのタグがＰＩＮＧサーバ送信用モジュールである。ＲＳＳ形式では、ファイル内で使用するタグを、＜ｒｄｆ：…＞タグ内で定義している。この“＜ｐｉｎｇｓｈｏｐ：”で始まるタグを増減させることにより、ＰＩＮＧサーバ送信用モジュールとして定義するデータ数を変化させることが可能である。ＰＩＮＧサーバ送信用モジュール中、＜ｐｉｎｇｓｈｏｐ：ｓｅｒｖｅｒ＞タグは、消費者端末３０がメッセージを送信する先であるＰＩＮＧサーバ１０のＵＲＬを示している。＜ｐｉｎｇｓｈｏｐ：ｒｐｃ＞タグおよび＜ｐｉｎｇｓｈｏｐ：ｆｕｎｃ＞タグは、＜ｐｉｎｇｓｈｏｐ：ｓｅｒｖｅｒ＞タグで指定したＰＩＮＧサーバ１０内の関数を呼び出して処理を行わせるためのものである。図３の例では、“Ｐｉｎｇ”という関数を呼び出して、“ｅｘｅｃ（実行）”することを意味している。
【００１７】
図３に示したＰＩＮＧサーバ送信用モジュールのうち、上記の２行目〜４行目の３個のタグは送信先および命令を示しているが、５行目以降のタグは要素および値として、メッセージ化されて送信されるものである。＜ｐｉｎｇｓｈｏｐ：ｓｅｎｄｕｒｉ＞は、そのショッピングサイト２０の名前と商品一覧が記載されたサイト情報データ、すなわち、図３のＲＳＳファイル自身の所在を特定するＵＲＩを示しており、図２に示した記録項目の“サイト情報データのＵＲＩ”に対応している。＜ｐｉｎｇｓｈｏｐ：ｔｉｔｌｅ＞は、電子ショッピングサイトのタイトルを示しており、図２に示した記録項目の“タイトル”に対応している。＜ｐｉｎｇｓｈｏｐ：ｌｉｎｋ＞は、電子ショッピングサイトへのリンクを示し、具体的には、ショッピングサイトのＨＴＭＬファイルのＵＲＬが記述されている。これは、図２に示した記録項目の“電子ショッピングサイトのＵＲＬ”に対応している。＜ｐｉｎｇｓｈｏｐ：ｄｅｓｃｒｉｐｔｉｏｎ＞は、電子ショッピングサイトの説明を示しており、図２に示した記録項目の“サイトの説明”に対応している。＜ｐｉｎｇｓｈｏｐ：ｃａｔｅｇｏｒｙ＞は、電子ショッピングサイトのカテゴリーを示しており、図２に示した記録項目の“カテゴリー”に対応している。＜ｐｉｎｇｓｈｏｐ：ｓｕｂ＿ｃａｔｅｇｏｒｙ＞は、電子ショッピングサイトのサブカテゴリーを示しており、図２に示した記録項目の“サブカテゴリー”に対応している。＜ｐｉｎｇｓｈｏｐ：ｋｅｙｗｏｒｄ＞は、電子ショッピングサイトのキーワードを示しており、図２に示した記録項目の“キーワード”に対応している。＜ｐｉｎｇｓｈｏｐ：ｐｕｂＤａｔｅ＞は、電子ショッピングサイトの更新時刻を示しており、図２に示した記録項目の“更新時刻”に対応している。＜ｐｉｎｇｓｈｏｐ：ｔｉｔｌｅ＞から＜ｐｉｎｇｓｈｏｐ：ｐｕｂＤａｔｅ＞までのタグは、電子ショッピングサイト自体に関する情報を記録したものであり、１つのサイト情報データにそれぞれ１つだけ設けられている。
【００１８】
＜ｐｉｎｇｓｈｏｐ：ｇｏｏｄｓ＞は、電子ショッピングサイトで販売されている商品の商品名を示しており、図２に示した記録項目の“商品名”に対応している。＜ｐｉｎｇｓｈｏｐ：ｇｏｏｄｓｕｒｉ＞は、その商品の情報の電子ショッピングサイト２０上における所在を特定するＵＲＩを示しており、図２に示した記録項目の“商品情報のＵＲＩ”に対応している。＜ｐｉｎｇｓｈｏｐ：ｐｒｉｃｅ＞は、その商品の価格を示しており、図２に示した記録項目の“価格”に対応している。＜ｐｉｎｇｓｈｏｐ：ｑｕａｎｔｉｔｙ＞は、その商品の数量を示しており、図２に示した記録項目の“数量”に対応している。＜ｐｉｎｇｓｈｏｐ：ｇｏｏｄｓｃａｔｅｇｏｒｙ＞は、その商品のカテゴリーを示しており、図２に示した記録項目の“カテゴリー”に対応している。＜ｐｉｎｇｓｈｏｐ：ｇｏｏｄｓｉｍａｇｅ＞は、その商品の画像の電子ショッピングサイト２０上における所在を特定するＵＲＬを示しており、図２に示した記録項目の“商品画像のＵＲＬ”に対応している。＜ｐｉｎｇｓｈｏｐ：ｇｏｏｄｓｄｅｓｃｒｉｐｔｉｏｎ＞は、商品の説明を示しており、図２に示した記録項目の“商品説明”に対応している。＜ｐｉｎｇｓｈｏｐ：ｇｏｏｄｓｐｕｂＤａｔｅ＞は、商品情報の更新時刻を示しており、図２に示した記録項目の“商品情報更新時刻”に対応している。＜ｐｉｎｇｓｈｏｐ：ｇｏｏｄｓ＞から＜ｐｉｎｇｓｈｏｐ：ｇｏｏｄｓｐｕｂＤａｔｅ＞までのタグは、電子ショッピングサイトで販売されている各商品に関する情報を記録したものであり、各商品についてそれぞれ１つだけ設けられている。したがって、１つのサイト情報データ内に商品の数だけ設けられているが、繰り返しとなるため、図３においては省略してある。
【００１９】
消費者端末３０は、電子ショッピングサイト２０において、購入手続を実行する機能を有すると共に、訪れた電子ショッピングサイト２０についての情報をＰＩＮＧサーバ１０に送信する機能を有している。このような消費者端末３０は、汎用のコンピュータに、専用のＲＳＳリーダーを搭載することにより実現される。すなわち、コンピュータ上でソフトウェアであるＲＳＳリーダーを起動すると、このＲＳＳリーダーにより、コンピュータが消費者端末３０として機能することになる。本発明で用いるＲＳＳリーダーが従来と異なるのは、電子ショッピングサイト２０から取得したＲＳＳ内の所定の情報を、ＰＩＮＧサーバ１０に送信する機能を有している点である。
【００２０】
（２．処理動作）
続いて、本発明に係る電子ショッピングモール構築システムの処理動作について説明する。まず、消費者端末３０における処理について図４のフローチャートを用いて説明する。消費者端末３０において、消費者がＲＳＳリーダーを起動して、所望の電子ショッピングサイト２０にアクセスすると、ＲＳＳリーダーの機能により、消費者端末３０は、ネットワーク上の電子ショッピングサイト２０が有するＲＳＳを取得する（Ｓ１）。ここまでは、従来のＲＳＳリーダーによる処理と同様である。続いて、消費者端末３０は、取得したＲＳＳ内にＰＩＮＧサーバ送信用モジュールが存在するかどうかを検索する（Ｓ２）。本実施形態では、図３に示した要約データ内において、＜ｒｄｆ：…＞タグ内に“ｐｉｎｇｓｈｏｐ”という名前が定義されているかどうかを検索することになる。取得したＲＳＳ内にＰＩＮＧサーバ送信用モジュールが存在しない場合は、従来のＲＳＳリーダーと同様、取得したＲＳＳに基づき、タイトル、要約、閲覧用情報等を消費者端末３０の画面に表示する（Ｓ６）。
【００２１】
一方、取得したＲＳＳ内にＰＩＮＧサーバ送信用モジュールが存在した場合は、そのＰＩＮＧサーバ送信用モジュール内から、ＰＩＮＧサーバ１０のＵＲＬとその他付随情報を取得する（Ｓ３）。具体的には、図３の例の場合、３行目からのタグ名を要素として、“ｐｉｎｇｓｈｏｐ”タグに囲まれた情報を値として取得することになる。続いて、消費者端末３０は、Ｓ３において取得した情報をメッセージ化する（Ｓ４）。メッセージ化は、取得した情報をＰＩＮＧサーバ１０への送信に適した形式に変換することにより行う。例えば、図３に示したようなＰＩＮＧサーバ送信用モジュールの場合、各タグ名および各タグに対応した情報の内容を、図５に示すような形式に変換する。すなわち、各タグで特定される要素名と各要素の値を“＝”で結び、“＝”で結んだ組を“＆（トークン）”で結ぶ。次に、Ｓ３において取得したＵＲＬで特定されるＰＩＮＧサーバ１０に、図５に示したようなＳ４においてメッセージ化した情報を送信する（Ｓ５）。具体的には、ＰＩＮＧサーバ送信用モジュール内の＜ｐｉｎｇｓｈｏｐ：ｓｅｒｖｅｒ＞タグ（図３の上から２行目）で特定されるＰＩＮＧサーバ１０に、メッセージ化された情報を送信することになる。ＰＩＮＧサーバ１０へのメッセージの送信方式としては、種々のものを用いることができるが、本実施形態では、ＳＯＡＰ（Simple Object Access Protocol）形式としている。ＲＳＳ内のＰＩＮＧサーバ送信用モジュール以外については、従来のＲＳＳリーダーと同様、タイトル、要約、閲覧用情報等を消費者端末３０の画面に表示する（Ｓ６）。
【００２２】
続いて、ＰＩＮＧサーバ１０における処理について図６のフローチャートを用いて説明する。ＰＩＮＧサーバ１０は、消費者端末３０から関数および命令と、メッセージ化された情報を受信する（Ｓ１１）。すると、ＰＩＮＧサーバ１０は受信した関数および命令を実行する。本実施形態では、図３に示したように、“Ｐｉｎｇ”という関数名で特定されるプログラムを実行（ｅｘｅｃ）する命令を実行することになる。この“Ｐｉｎｇ”という関数名で特定されるプログラムは、ＰＩＮＧサーバ１０内にあらかじめ用意されている。この“Ｐｉｎｇ”という関数名で特定されるプログラムを実行することにより、ＰＩＮＧサーバ１０は、以下のＳ１２からＳ１５の処理を実行することになる。具体的には、まず、受信したメッセージをトークン（＆）単位で分割する（Ｓ１２）。続いて、分割したメッセージの各要素とサイト情報ＤＢ１１のフィールドをマッピングする（Ｓ１３）。さらに、対応する要素の値をサイト情報ＤＢ１１に登録する（Ｓ１４）。具体的には、ＲＳＳファイル単位で、そのＲＳＳファイル（サイト情報データ）のＵＲＩ、タイトル、ＨＴＭＬファイル（電子ショッピングサイト）のＵＲＬ、サイトの説明、カテゴリー、サブカテゴリー、キーワード、サイト更新時刻、受信時刻、商品情報を登録する。なお、商品情報については、各商品について、図２（ｂ）に示すようなさらに詳細な項目について登録する。同一のＲＳＳファイルについて複数回受信した場合は、サイト情報データのＵＲＩ、タイトル、電子ショッピングサイトのＵＲＬ、サイトの説明、カテゴリー、サブカテゴリー、キーワード、サイト更新時刻、商品情報については重複しているので、受信時刻だけが各受信ごとに記録されることになる。各要素の値を登録したら、受信完了メッセージを消費者端末３０に送信する（Ｓ１５）。以上のようにして、ＰＩＮＧサーバ１０は、電子ショッピングサイト２０に関する情報を、電子ショッピングサイト２０からではなく、消費者端末３０から収集することが可能となる。
【００２３】
以上のようにして、消費者端末３０から電子ショッピングサイト２０に関する情報を収集することにより、ＰＩＮＧサーバ１０が管理するサイト情報ＤＢ１１には、多数の電子ショッピングサイト２０についての情報が、図２に示した項目に従って蓄積されることになる。そして、ＰＩＮＧサーバ１０、サイト情報ＤＢ１１、およびサイト情報ＤＢ１１に情報が登録されている電子ショッピングサイト２０により電子ショッピングモールが構成されることになる。ＰＩＮＧサーバ１０は、定期的に、サイト情報ＤＢ１１にアクセスし、サイト情報ＤＢ１１に蓄積されている情報に従って電子ショッピングモールサイトのホームページ（トップページ）となるページをＨＴＭＬ形式で作成する。消費者端末３０からＰＩＮＧサーバ１０上の電子ショッピングモールサイトのホームページにアクセスすると、消費者端末３０には、ホームページの画面が表示され、画面上に表示された商品を具体的に選択すると、リンクされた電子ショッピングサイト２０にアクセスし、具体的な商品購入手続が可能となる。電子ショッピングモールサイト（ＰＩＮＧサーバ１０）のホームページを経由して、電子ショッピングサイト２０にアクセスした場合であっても、直接電子ショッピングサイト２０にアクセスした場合であっても、具体的な商品購入手続は同じである。
【図面の簡単な説明】
【００２４】
【図１】本発明に係る電子ショッピングモール構築システムの構成図である。
【図２】サイト情報ＤＢ１１に記録された情報の構成を示す図である。
【図３】本発明で用いるサイト情報データの一例を示す図である。
【図４】消費者端末３０における処理の概要を示すフローチャートである。
【図５】ＰＩＮＧサーバ送信用モジュールをメッセージ化した状態を示す図である。
【図６】ＰＩＮＧサーバ１０における処理の概要を示すフローチャートである。
【符号の説明】
【００２５】
１０・・・ＰＩＮＧサーバ
１１・・・サイト情報ＤＢ
２０・・・電子ショッピングサイト
３０・・・消費者端末
【図１】
2007072717.tif 000003
【図２】
2007072717.tif 000004
【図３】
2007072717.tif 000005
【図４】
2007072717.tif 000006
【図５】
2007072717.tif 000007
【図６】
2007072717.tif 000008